(57)【要約】【課題】  商品提供者の負担を大きくすることなく、取引毎または商品毎の付加サービスを行うことができる商取引方法および装置並びにシステムを提供すること。【解決手段】  商取引装置において顧客端末からの商品受注後に、付加サービス品として音楽データを生成する音楽データ生成装置に対し取引毎または商品毎の商品名や顧客電話番号などの固有情報を送信し、該固有情報に基づいた音楽データを生成させるステップと、生成された音楽データを前記音楽データ生成装置から受信し、音楽ＣＤなどの媒体または通信回線を通じて付加サービス品として顧客または贈り先に提供するステップとを備えることを特徴とする。【選択図】      図１
2005149367.tif 000002
【特許請求の範囲】
【請求項１】
商取引装置において顧客端末からの商品受注後に、音楽データを生成する音楽データ生成装置に対し取引毎または商品毎の商品名や顧客電話番号などの固有情報を送信し、該固有情報に基づいた音楽データを生成させるステップと、生成された音楽データを前記音楽データ生成装置から受信し、音楽ＣＤなどの媒体または通信回線を通じて付加サービス品として顧客または贈り先に提供するステップとを備えることを特徴とする商取引方法。
【請求項２】
前記付加サービス品の他に、顧客端末からの要求に応じて、顧客端末から受信した任意の情報を前記音楽データ生成装置に送信し、当該任意の情報に基づいた音楽データを生成させ、生成された音楽データを音楽ＣＤなどの媒体または通信回線を通じて有償で顧客または贈り先に提供するステップをさらに備えることを特徴とする請求項１に記載の商取引方法。
【請求項３】
商取引装置において顧客端末からの商品受注後に、音楽データを生成する音楽データ生成装置に対し、顧客端末から受信した任意の情報を送信し、該任意の情報に基づいた音楽データを生成させるステップと、生成された音楽データを前記音楽データ生成装置から受信し、音楽ＣＤなどの媒体または通信回線を通じて有償で顧客または贈り先に提供するステップとを備えることを特徴とする商取引方法。
【請求項４】
顧客端末からの商品受注後に、音楽データを生成する音楽データ生成装置に対し取引毎または商品毎の商品名や顧客電話番号などの固有情報を送信し、該固有情報に基づいた音楽データを生成させる手段と、生成された音楽データを前記音楽データ生成装置から受信し、音楽ＣＤなどの媒体または通信回線を通じて付加サービス品として顧客または贈り先に提供する手段とを備えることを特徴とする商取引装置。
【請求項５】
前記付加サービス品の他に、顧客端末からの要求に応じて、顧客端末から受信した任意の情報を前記音楽データ生成装置に送信し、当該任意の情報に基づいた音楽データを生成させ、生成された音楽データを音楽ＣＤなどの媒体または通信回線を通じて有償で顧客または贈り先に提供する手段をさらに備えることを特徴とする請求項４に記載の商取引装置。
【請求項６】
商取引装置において顧客端末からの商品受注後に、音楽データを生成する音楽データ生成装置に対し、顧客端末から受信した任意の情報を送信し、該任意の情報に基づいた音楽データを生成させるステップと、生成された音楽データを前記音楽データ生成装置から受信し、音楽ＣＤなどの媒体または通信回線を通じて有償で顧客または贈り先に提供するステップとを備えることを特徴とする商取引方法。
【請求項７】
商取引装置と音楽データ生成装置とから成り、
前記商取引装置が、顧客端末からの商品受注後に、音楽データを生成する音楽データ生成装置に対し取引毎または商品毎の商品名や顧客電話番号などの固有情報を送信し、該固有情報に基づいた音楽データを生成させる手段と、生成された音楽データを前記音楽データ生成装置から受信し、音楽ＣＤなどの媒体または通信回線を通じて付加サービス品として顧客または贈り先に提供する手段とを備え、
前記音楽データ生成装置が、
前記商取引装置から受信した前記固有情報に基づいて音楽データを生成し、前記商取引装置に送信する手段を備えることを特徴とする商取引システム。
【請求項８】
前記商取引装置が、前記付加サービス品の他に、顧客端末からの要求に応じて、顧客端末から受信した任意の情報を前記音楽データ生成装置に送信し、当該任意の情報に基づいた音楽データを生成させ、生成された音楽データを音楽ＣＤなどの媒体または通信回線を通じて有償で顧客または贈り先に提供する手段をさらに備えることを特徴とする請求項７に記載の商取引システム。
【請求項９】
商取引装置と音楽データ生成装置とから成り、
前記商取引装置が、顧客端末からの商品受注後に、音楽データを生成する音楽データ生成装置に対し、顧客端末から受信した任意の情報を送信し、該任意の情報に基づいた音楽データを生成させる手段と、生成された音楽データを前記音楽データ生成装置から受信し、音楽ＣＤなどの媒体または通信回線を通じて有償で顧客または贈り先に提供する手段とを備え、
前記音楽データ生成装置が、
前記商取引装置から受信した前記任意の情報に基づいて音楽データを生成し、前記商取引装置に送信する手段を備えることを特徴とする商取引システム。
【発明の詳細な説明】
【技術分野】
【０００１】
本発明は、インターネットに代表されるネットワークを介して各種の商品を販売する方法および装置並びにシステムに係り、特に、商取引ごとに顧客の電話番号や氏名などのデータに基づいて音楽データを生成し、該音楽データを音楽ＣＤ（コンパクトディスク）などの媒体に記録し、取引商品に対してサービス品として付加して販売する方法および装置並びにシステムに関するものである。
【背景技術】
【０００２】
最近では、インターネットに代表されるネットワークへの接続環境が普及し、ウェブブラウズ機能を持つ端末が多く見られるようになっている。これらの端末からウェブサーバにアクセスし、ネットワークを介してさまざまなサービスを利用することはもはや一般的と言える。また、商品や情報を売買する商取取引サービスでは、実体のない端末上のデータだけに限らず、さまざまな商品や情報をその対象としている。
従来、インターネットを介して各種の商品を販売するシステムとして、例えば下記の特許文献１で提案されたものがある。
【特許文献１】特開２００１−２７３４４０号
【発明の開示】
【発明が解決しようとする課題】
【０００３】
しかしながら、上記の特許文献１などの従来のシステムでは、顧客からの注文に応じ、商品をインターネットを通じて単に販売するというものであるため、競合する商品提供者の増加に伴い、何らかの付加価値を付けたサービスを行い、競合他者との差別化を図る必要が出てくる。
しかし、商品提供者が各自で新しい独自の機能を開発・追加していくことも可能ではあるが、新しい分野に対する開発を続けることはコストがかかり過ぎ、負担が大きくなるという問題がある。
【０００４】
この発明は、以上の問題点に着目してなされたものであり、商品提供者の負担を大きくすることなく、取引毎または商品毎の付加サービスを行うことができる商取引方法および装置並びにシステムを提供することを目的とする。
【課題を解決するための手段】
【０００５】
上記の目的を達成するために、本発明に係る商取引方法は、商取引装置において顧客端末からの商品受注後に、音楽データを生成する音楽データ生成装置に対し取引毎または商品毎の商品名や顧客電話番号などの固有情報を送信し、該固有情報に基づいた音楽データを生成させるステップと、生成された音楽データを前記音楽データ生成装置から受信し、音楽ＣＤなどの媒体または通信回線を通じて付加サービス品として顧客または贈り先に提供するステップとを備えることを特徴とする。
また、前記付加サービス品の音楽データの他に、顧客端末からの要求に応じて、顧客端末から受信した任意の情報を前記音楽データ生成装置に送信し、当該任意の情報に基づいた音楽データを生成させ、生成された音楽データを音楽ＣＤなどの媒体または通信回線を通じて有償で顧客または贈り先に提供するステップをさらに備えることを特徴とする。
また、商取引装置において顧客端末からの商品受注後に、音楽データを生成する音楽データ生成装置に対し、顧客端末から受信した任意の情報を送信し、該任意の情報に基づいた音楽データを生成させるステップと、生成された音楽データを前記音楽データ生成装置から受信し、音楽ＣＤなどの媒体または通信回線を通じて有償で顧客または贈り先に提供するステップとを備えることを特徴とする。
また、本発明に係る商取引装置は、顧客端末からの商品受注後に、音楽データを生成する音楽データ生成装置に対し取引毎または商品毎の商品名や顧客電話番号などの固有情報を送信し、該固有情報に基づいた音楽データを生成させる手段と、生成された音楽データを前記音楽データ生成装置から受信し、音楽ＣＤなどの媒体または通信回線を通じて付加サービス品として顧客または贈り先に提供する手段とを備えることを特徴とする。
また、前記付加サービス品の音楽データの他に、顧客端末からの要求に応じて、顧客端末から受信した任意の情報を前記音楽データ生成装置に送信し、当該任意の情報に基づいた音楽データを生成させ、生成された音楽データを音楽ＣＤなどの媒体または通信回線を通じて有償で顧客または贈り先に提供する手段をさらに備えることを特徴とする。
また、商取引装置において顧客端末からの商品受注後に、音楽データを生成する音楽データ生成装置に対し、顧客端末から受信した任意の情報を送信し、該任意の情報に基づいた音楽データを生成させる手段と、生成された音楽データを前記音楽データ生成装置から受信し、音楽ＣＤなどの媒体または通信回線を通じて有償で顧客または贈り先に提供する手段とを備えることを特徴とする。
また、本発明に係る商取引システムは、商取引装置と音楽データ生成装置とから成り、前記商取引装置が、顧客端末からの商品受注後に、音楽データを生成する音楽データ生成装置に対し取引毎または商品毎の商品名や顧客電話番号などの固有情報を送信し、該固有情報に基づいた音楽データを生成させる手段と、生成された音楽データを前記音楽データ生成装置から受信し、音楽ＣＤなどの媒体または通信回線を通じて付加サービス品として顧客または贈り先に提供する手段とを備え、
前記音楽データ生成装置が、前記商取引装置から受信した前記固有情報に基づいて音楽データを生成し、前記商取引装置に送信する手段を備えることを特徴とする。
また、前記商取引装置が、前記付加サービス品の音楽データの他に、顧客端末からの要求に応じて、顧客端末から受信した任意の情報を前記音楽データ生成装置に送信し、当該任意の情報に基づいた音楽データを生成させ、生成された音楽データを音楽ＣＤなどの媒体または通信回線を通じて有償で顧客または贈り先に提供する手段をさらに備えることを特徴とする。
また、商取引装置が、顧客端末からの商品受注後に、音楽データを生成する音楽データ生成装置に対し、顧客端末から受信した任意の情報を送信し、該任意の情報に基づいた音楽データを生成させるステップと、生成された音楽データを前記音楽データ生成装置から受信し、音楽ＣＤなどの媒体または通信回線を通じて有償で顧客または贈り先に提供する手段を備えることを特徴とする。
なお、本発明において取引対象の商品とは、物理的な実体をもつものだけでなく、介護などの労役、写真や図書などの電子データも含むものである。
【発明の効果】
【０００６】
本発明によれば、商品提供者の負担を大きくすることなく、取引毎または商品毎の付加サービスを行うことができる。
【発明を実施するための最良の形態】
【０００７】
以下、本発明を図示する実施の形態に基づいて詳細に説明する。
図1は、本発明の実施の形態を示すシステム構成図であり、花ギフト通販サーバ１０と音楽生成サーバ３０で構成されている。
本実施形態のシステムでは、花ギフトサーバ１０で顧客からの商品を受注したならば、取引単位毎または商品毎に、商品名称や顧客電話番号などの固有情報を音楽生成サーバ３０に送信し、音楽生成サーバ３０において固有情報に基づいた音楽データを生成させ、その生成された音楽データを音楽ＣＤなどの媒体または通信回線を通じて付加サービス品として顧客または贈り先に提供する。
ここで、前記固有情報としては、例えば、商品名称、顧客（注文主または贈り先）の属性情報（氏名、電話番号、メールアドレス、誕生日、住所、性別など）などの文字、記号、数字で表現されるデータを用いるが、取引商品に応じて他の情報を用いることができる。例えば、受注番号、受注時の季節や月、時刻などの情報を用いることができる。
また、音楽生成サーバ３０が生成する音楽データとしては、録音された音声データ、音色と楽譜で構成された曲データなど、特に形式を限定しない。
また、音楽生成サーバ３０に音楽データを生成させるに際しては、次のような固有情報を送信する形態がある。
（１）顧客の属性情報の氏名、電話番号などのいずれか１つまたは予め設定したルールに従って選択した組み合わせものものを音楽生成サーバ３０に送信する。
（２）前記（１）の情報に加え、商品名称を送信する。
（３）１回の取引で複数の商品がある場合には、過去の取引履歴を参照し、提供済みの音楽データと重複しない音楽データが生成されるような固有情報を選択して送信する。
（４）商品名でなく、１回の取引単位毎の取引識別番号（受注番号）を送信する。
（５）ギフト品などのように、商品を購入した顧客と商品の送り先が異なる場合には、固有情報として贈り先の顧客の電話番号や氏名、過去の送付回数などを送信する。
本発明では、上記のいずれの形態を適宜に用いることができる。
【０００８】
図１に示すシステムは、固有データとして電話番号などを用いる場合の例である。
図１に示すシステムは、花ギフト通販サーバ１０を中心に構成されている。これが音楽生成サーバ３０やユーザ端末であるパーソナルコンピュータ（ＰＣ）６０と共にインターネット５０に接続されている。
通常、ユーザ側のＰＣ６０は多数存在する。また、花ギフト通販サーバ１０は、音楽生成サーバ３０を複数利用することも可能であるが、簡略化のために単一の例を示す。
なお、同図においては、プロバイダや他の多数のサーバなどは省略されている。そして、実際の花ギフトなどの品物９０を手配・配送する配送センター７０が、花ギフト通販サーバ１０から受注データ１４や音楽データ１６などの情報を受け取る機構も必要である。この情報伝達の手段としてインターネット５０を利用しても問題はないが、この実施形態の例では専用線５５で接続されているとする。
【０００９】
まず、花ギフト通販サーバ１０は、多数の花ギフトデータを集積したギフトデータベース１２、現在までの注文履歴データを集積した履歴データベース１３、ユーザ側から花ギフトの注文を受ける商品受注プログラム２０、前記商品受注プログラム２２でユーザ側から取得した電話番号から固有データ（本実施形態では電話番号）を取得するための固有データ取得プログラム２２、前記固有データ取得プログラム２４で取得した電話番号を音楽生成サーバ３０に渡し、出力結果として１曲分の音楽データ１６を取得する音楽取得プログラム２４、前記商品受注プログラム２０で取得した花ギフトの受注内容と前記音楽取得プログラム２４で取得した音楽データ１６を配送センター７０へ送信する商品発注プログラム２６をそれぞれ備えている。
また、前記商品受注プログラム２０で取得した送付する花ギフトの内容やギフト宛先１００の名前、住所や電話番号などを含む受注データ１４、前記固有データ取得プログラム２２で取得した固有データ１５、前記音楽取得プログラム２４で取得した音楽データ１６を格納する記憶装置１７も確保されている。
【００１０】
これらのうち、ギフトデータベース１２は、花ギフト通販サーバ１０が提供可能な花などの贈り物の情報が格納されている。基本的な項目としては、図２（ａ）に示すように、ギフトＩＤ、商品の名称、商品の説明、サイズ、価格、属性、在庫数、写真などである。この他に送り先への到着見込み日時などがある。
属性とは、複数商品を組み合わせた場合を考慮し、固有データの属性を生成する為に利用する為の商品ＩＤ毎に付されるデータである。図２（a）に示される商品を二つ(ギフトID  000001と000002)を購入した場合には、この二つの商品の属性データを足した価が固有データの属性の値となる。したがって、この場合、固有データの属性の値は「１２」となる。
履歴データベース１３は、今まで配送した花ギフトの贈り先の電話番号の履歴を格納する。電話番号のみを固有データとして音楽を生成すると、同じ贈り先に花ギフトを贈った場合は、常に同じ音楽を生成してしまう。そういった現象を防ぐため、その電話番号の宛先に花ギフトを贈った回数を固有データに追加する。本データベース１３は、その回数を求めるために利用する。最低限度必要な項目は、贈り先の電話番号のみであるが、受注ＩＤ、属性、樂想などを保存しておくことも考えられる。
図２（ｂ）は、履歴データベース１３のデータテーブルの一例を示した図であり、電話番号（贈り先）、受注ＩＤ、属性、樂想で構成されている。
樂想とは、「楽しい」、「悲しい」、「憂鬱」、「空」、「海」、「森」などの曲の雰囲気を表すものである。
【００１１】
商品受注プログラム２０は、花ギフトの情報を表示・検索する画面を提供し、贈り主であるユーザのＰＣ６０から希望する商品を、花ギフトの注文画面から受注データ１４として受け取るプログラムである。この時、受注データ１４は、贈り主である顧客の情報と、ギフトの送付先であるギフト宛先１００の名前、住所、電話番号などで構成される。図２（ｃ）は、受注データの一例を示した図であり、受注ＩＤ、ギフトＩＤ、個数、受取者名、受取者電話番号、受取者郵便番号、受取者住所、注文者名、注文者電話番号、配送日時、樂想で構成されている。
固有データ取得プログラム２２は、受注データ１４から音楽生成に用いる固有データ１５を抽出するプログラムである。本実施形態では、図２（ｄ）に示すように、ギフト宛先１００の電話番号、贈り主ユーザの指定した樂想、注文したギフト品から求まる属性、ギフト宛先１００への発送回数である追番の４つを固有データとして用いる。他にも、例えば贈り先の年齢や地域などを固有データに含むようにしてもよい。
【００１２】
音楽取得プログラム２４は、固有データ取得プログラム２２で取得した固有データ１５を、インターネット５０を経由して接続された音楽生成サーバ３０の音楽データ作成サービス４０に受け渡すことで音楽を生成させ、音楽データを出力として受け取り、必要であれば、例えば、暗号化されている場合には暗号を解読して音楽データを抽出し、音楽データ１６として保存する。
商品発注プログラム２６は、商品受注プログラム２０で取得した受注データ１４と、音楽取得プログラム２４で取得した音楽データ１６を配送センター７０に送り、商品を贈り先に配送するように指示するプログラムである。
【００１３】
一方、音楽生成サーバ３０は、音楽データ作成サービス４０を備えており、この音楽データ作成サービス４０は、固有データ受信プログラム４２、音楽生成プログラム４４、音楽転送プログラム４６で構成される。また、顧客からの受注データ１４、前記固有データ受信プログラム４２で取得した固有データ１５、前記音楽生成プログラム４４で生成した音楽データ１６を格納する記憶装置３５も確保されている。
音楽生成サーバ３０の主な機能である音楽データ作成サービス４０は、固有データ１５を入力、音楽データ１６を出力とするウェブアプリケーションサービスである。本実施形態では、電話番号を入力として音楽を生成し、出力として返すサービスである。
固有データ受信プログラム４２は花ギフト通販サーバ１０から固有データ１５である電話番号を受信するプログラムである。なお、花ギフト通販サーバ１０から送信される固有データ１５の形式に合わせて、例えば、暗号化された情報を解析し、固有データ１５を抽出する機能を持つ。
【００１４】
音楽生成プログラム４４は、花ギフト通販サーバ１０から送信され、固有データ受信プログラム４２で抽出した固有データ１５を用いて音楽データ１６を作成するプログラムである。この音楽データ１６の作成には、例えば特開２００３−２５５９５６号公報で提案されている音楽生成方法を用いる。
音楽転送プログラム４６は、音楽生成プログラム４４で作成した音楽データ１６を、要求元（ここでは、花ギフト通販サーバ１０）に送信するプログラムである。送信する形式としては、データをそのままの形式で送る場合や暗号化など独自の形式に変換して送信する場合がある。
【００１５】
配送センター７０は、ギフト在庫７２、梱包システム７４、音楽ＣＤ作成機器７６を備えている。
ギフト在庫７２は、花ギフト通販サーバ１０で販売している実際の商品である。商品が不足しないように補充する機能もここに含まれる。
梱包システム７４は、花ギフト通販サーバ１０から送られる発注データに従ってギフト在庫７２から必要なギフト商品９２を準備し、音楽ＣＤ作成機器７６で作成した音楽ＣＤ９４と共に梱包してギフトパッケージ９０を梱包し、ギフト宛先１００の住所に配送するシステムである。
音楽ＣＤ作成機器７６は、花ギフト通販サーバ１０から送られた音楽データ１６を音楽ＣＤに書き込んで音楽ＣＤ９４を作成する機器であり、音楽ＣＤ作成の専用の機器である必要はなくＣＤ−Ｒドライブを装備するＰＣでもよい。
なお、音楽ＣＤに代えて、電子オルゴールを作成してメッセージカードに添付する構成にすることもできる。または、音楽データ１６をインターネット５０を介してギフト宛先１００に送信する構成にすることもできる。あるいは、ギフト宛先のＰＣから音楽データ１６をダウンロードする場合の鍵を送付する構成にすることができる。
【００１６】
次に、図３〜図７を参照しながら本実施形態の動作を説明する。
図３には、主要な動作手順が示されている。ここでは、受注データ１４から抽出した電話番号に対応した音楽を生成し、それを音楽ＣＤとして作成するまでの動作を説明する。
まず、商品購入元のユーザは、自分のＰＣ６０を使用して、インターネット５０を介して花ギフト通販サーバ１０にアクセスする（ステップＳ１０）。すると、花ギフト通販サーバ１０は、必要に応じてユーザの認証などを行ったのち、ユーザが選んだ花ギフトを注文するための画面をインターネット５０を介してユーザのＰＣ６０に送信する（ステップＳ１１）。
ユーザのＰＣ６０の表示部には、花ギフトを注文するための画面が表示され、ユーザは、花ギフトの種類、名称、個数、価格、ギフト宛先１００の住所、名前、電話番号、送り主であるユーザの名前、支払方法、希望する樂想などを入力する。また、同時に、生成する音楽のジャンルなどを追加条件として入力させてもよい。ユーザが送信ボタンを押すと、上記の情報を花ギフト通販サーバ１０に送信される（ステップＳ１２）。
【００１７】
花ギフト通販サーバ１０側では、取得した情報をまとめて受注データ１４として保存する。そして、受注データ１４から、ギフトの送付先であるギフト宛先１００の電話番号と、希望する樂想を抽出する。加えて、注文したギフトの内容を表すギフトＩＤから、ギフト商品の持つ属性値をギフトデータベース１３で問い合わせ、全てを加算してこの注文における属性の値を算出する。続いて、ギフト宛先１００の電話番号への何度目の発送であるのかを履歴データベース１４中に登録された同じ電話番号を数えることで調べ、追番とする。上記の４つを組み合わせて結果を固有データ１５として保存する（ステップＳ１３）。
そののち、保存した固有データ１５をインターネット５０を介して、音楽生成サーバ３０に送信する（ステップＳ１４）。
【００１８】
続いて、音楽生成サーバ３０側では、ステップＳ１８によってインターネット５０を介して送られてきた固有データを受信し固有データ１５として保存する（ステップＳ１５）。その固有データ１５を用いて、音楽生成プログラム４４を実行して音楽データ１６を生成し保存する（ステップＳ１６）。
そののち、音楽データ３４をインターネット５０を介して、花ギフト通販サーバ１０に送信する。このとき、音楽データ１６を直接、配送センター７０へ送ってもよい。この場合、データの大きさによっては、ＣＤ−ＲＯＭなどの媒体に記録して提供する場合も考えられる（ステップＳ１７）。
【００１９】
花ギフト通販サーバ１０は、音楽生成サーバ３０からインターネット５０を介して送られた音楽データ１６を受信し、音楽データ１６として保存する（ステップＳ１８）。続いて、受注データ１４と音楽データ１６を専用線５５を介して、配送センター７０に送信する（ステップＳ１９）。
配送センター７０側では、専用線５５を介して送られた受注データ１４と音楽データ１６を受信し（ステップＳ２０）、受信した音楽データ１６から音楽ＣＤ作成機器７６を用いて音楽ＣＤ９４を作成する（ステップＳ２１）。
ユーザのＰＣ６０に表示される画面の遷移について図４を参照して説明する。
ユーザのＰＣ６０より花ギフト通販サーバ１０にアクセス（ステップＳ５００）すると、花ギフト通販サーバ１０から送信された「花ギフト選択画面」が表示される（ステップＳ５０１）。
【００２０】
図５（ａ）は、花ギフト選択画面の一例である。ユーザはこの画面中から贈りたい花ギフトを選択してその数量を入力後「追加」ボタンを押す（ステップＳ５０２）ことで、その情報を花ギフト通販サーバ１０へ送信する（ステップＳ５０３）。
花ギフト通販サーバ１０では、贈られてきた情報を一時的な注文リストに追加する（ステップＳ５０４）。実処理としては、ブラウザへの情報（クッキー）として保存するなどの対処を行う。複数のギフトを贈る場合には「追加」ボタンを押すことを繰り返す（ステップＳ５０５）。贈るギフトを選び終わったら「追加」ボタンを押して注文リストを更新する操作を終了し（ステップＳ５０６）、「注文処理へ」ボタンを押す（ステップＳ５０７）。
花ギフト通販サーバ１０は、続いて「花ギフト注文画面」を送信し、ユーザのＰＣ６０には、図５（ｂ）のような画面が表示される（ステップＳ５０８）。
【００２１】
ユーザは、花ギフトの贈り先の情報と、依頼者（通常はユーザ自身）の情報を入力して送信する（ステップＳ５０９）。入力漏れがなければ、花ギフト通販サーバ１０は続いて「花ギフト注文決済画面」を送信する（ステップＳ５１０）。
【００２２】
図６は、花ギフト注文決済画面の一例である。顧客の注文内容を確認するために、依頼人、贈り先、依頼品目、添付音楽の樂想、決済情報が表示される。ユーザは注文内容を確認してから、支払いに用いるカードの情報を入力して送信する（ステップＳ５１１）。
花ギフト通販サーバ１０は、送られてきたカード情報を用いてカードの決済処理を行い、決済の可否を判断する（ステップＳ５１２）。通常は、カード会社の提供する決済サービスサーバにアクセスして処理を実行する。決済に失敗した場合は、決済の失敗を告げる画面をユーザのＰＣ６０に送信する（ステップＳ５１４）。決済が成功した場合には、ユーザのＰＣ６０に「花ギフト注文完了画面」を送信する（ステップＳ５１３）。
図７は、花ギフト注文完了画面の一例を示した図である。
なお、添付音楽の樂想としては、例えば「静かな雰囲気」、「めでたい雰囲気」、「しめやかな雰囲気」などの樂想が表示される。これは、図５（ａ）の花ギフト選択画面で購入者である顧客が指定したものである。
【００２３】
このように本実施形態によれば、電話番号に対応させた独自の音楽データを商品の贈り先に付加サービス品として提供することができ、販売表品に対する付加価値を向上させることが可能となる。
【００２４】
なお、本発明は、上記の実施形態に限定されるものではない。例えば、次のようなものも含まれる。
（１）上述した実施形態では数字列（電話番号）に対して音楽を生成することとしたが、この他にも、例えば、メールアドレスや、住所、名前、誕生日、記念日、などの数字、文字、記号を組み合わせたさまざまな固有データを用いることができる。
（２）新規に開発する商取引サーバだけでなく、既存の商取引サーバに対しても本発明の機能を組み込んで実施することができる。
（３）また、音楽データ以外に、ナレーション、画像、文章などを作成する形態でも実施可能であり、上記の組み合わせも実現可能で、エンタテインメント性の高いマルチメディア素材を作成することができる。
（４）前記実施形態における動作は一例であり、同様の効果を奏するようにその手順は適宜変更してよい。また、システム構成についても。同様の作用を奏するように適宜変更してよい。
（５）さらに、付加サービス品として音楽データを顧客に提供する例を説明したが、顧客から有償での音楽データの提供要求があった場合には、サービス品としての音楽データの他に、有償の音楽データを提供することができる。また、サービス品として付加するのでなく、有償の音楽データサービスとすることもできる。
すなわち、（ａ）音楽データをサービス品として提供する取引形態、（ｂ）サービス品の他に、顧客からの要求があれば、有償で音楽データを提供する取引形態、（ｃ）サービス品ではなく有償で音楽データを提供する取引形態の何れかを適宜に選択して実施することができる。
有償で音楽データを提供する場合は、例えば以下の手順で行う。
（１）顧客端末から音楽データの有償での提供要求を受付ける。
（２）音楽データを生成するための任意の情報（年令、氏名、誕生日や記念日などの情報）を指定するように顧客端末に指示する。
（３）顧客端末から前記の任意の情報を受信したならば、該情報を音楽データ生成サーバに送信し、音楽データを生成させ、その生成された音楽データを顧客または贈り先に有償で送る。この場合、音楽データの代価は課金テーブルに予め定めたものに従う。
【図面の簡単な説明】
【００２５】
【図１】本発明に係る実施形態を示すシステム構成図である。
【図２】花ギフトサーバ内に設けられたデータベースのデータ構成例を示す図である。
【図３】図１の実施形態における主要な動作を示すシーケンス図である。
【図４】図１の実施形態において顧客端末に表示される画面の推移を示したシーケンス図である。
【図５】顧客端末に表示される画面の例を示す図である。
【図６】顧客端末に表示される画面の例を示す図である。
【図７】顧客端末に表示される画面の例を示す図である。
【符号の説明】
【００２６】
１０…花ギフト通販サーバ
１２…ギフトデータベース
１３…履歴データベース
１４…受注データ
１５…固有データ
１６…音楽データ
３０…音楽生成サーバ
４０…音楽データ作成サービス
４２…固有データ受信プログラム
４４…音楽生成プログラム
４６…音楽転送プログラム
５０…インターネット
５５…専用線
６０…ＰＣ
７０…配送センター
９２…ギフト商品
９４…音楽ＣＤ
１００…ギフト宛先
【図１】
2005149367.tif 000003
【図２】
2005149367.tif 000004
【図３】
2005149367.tif 000005
【図４】
2005149367.tif 000006
【図５】
2005149367.tif 000007
【図６】
2005149367.tif 000008
【図７】
2005149367.tif 000009